【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
複数の画像の中から所定数の画像を抽出する画像抽出方法において、前記複数の画像に対する評価を入力する入力ステップと、前記入力された評価に基づいて前記複数の画像の中から前記所定数の画像を抽出する抽出ステップとを有することを特徴とする画像抽出方法。
【請求項２】
前記入力ステップは、前記複数の画像に対する評価を１つの画像毎に順次入力することを特徴とする請求項１記載の画像抽出方法。
【請求項３】
前記入力ステップは、前記評価の入力を時系列順に行うことを特徴とする請求項２記載の画像抽出方法。
【請求項４】
前記入力ステップは、上記評価に加えて、処理すべき画像補正を含む画像加工を入力することを特徴とする請求項１乃至３のいずれか１項に記載の画像抽出方法。
【請求項５】
前記抽出された画像をフォトアルバムの各ページに配置することにより当該フォトアルバムを作成するアルバム作成ステップをさらに備えることを特徴とする請求項１乃至４のいずれか１項に記載の画像抽出方法。
【請求項６】
前記アルバム作成ステップは、前記入力された評価に基づいて、前記抽出された画像を前記ページに配置することにより前記フォトアルバムの作成を行うことを特徴とする請求項５記載の画像抽出方法。
【請求項７】
前記複数の画像を複数のグループに分割する分割ステップをさらに備え、前記抽出ステップは、前記分割された各グループに属する画像の中から少なくとも１つの画像を抽出し、前記所定数に達するまで前記画像の抽出を実行することを特徴とする請求項１乃至６のいずれか１項に記載の画像抽出方法。
【請求項８】
前記分割ステップは、前記複数の画像の各々に対して属すべきグループを指定することによって前記分割を行うことを特徴とする請求項７記載の画像抽出方法。
【請求項９】
前記分割ステップは、前記画像の作成時刻に基づいて前記分割を行うことを特徴とする請求項７記載の画像抽出方法。
【請求項１０】
前記分割されたグループから抽出すべき画像の抽出数を入力する抽出数入力ステップをさらに備えることを特徴とする請求項７乃至９のいずれか１項に記載の画像抽出方法。
【請求項１１】
前記分割されたグループから抽出された画像をフォトアルバムの各ページに配置することにより当該フォトアルバムを作成するアルバム作成ステップをさらに備えることを特徴とする請求項７乃至１０のいずれか１項に記載の画像抽出方法。
【請求項１２】
前記アルバム作成ステップは、前記入力された評価に基づいて、前記分割されたグループから抽出された画像を前記ページに配置することにより前記フォトアルバムの作成を行うことを特徴とする請求項１１記載の画像抽出方法。
【請求項１３】
前記アルバム作成ステップは、前記分割されたグループに基づいて、前記抽出された画像を前記ページに配置することにより前記フォトアルバムの作成を行うことを特徴とする請求項１１又は１２記載の画像抽出方法。
【請求項１４】
複数の画像の中から所定数の画像を抽出する画像抽出方法をコンピュータに実行させるプログラムであって、前記複数の画像に対する評価を入力する入力モジュールと、前記入力された評価に基づいて前記複数の画像の中から前記所定数の画像を抽出する抽出モジュールとを備えることを特徴とするプログラム。
【請求項１５】
複数の画像の中から所定数の画像を抽出する画像抽出装置において、前記複数の画像に対する評価を入力する入力部と、前記入力された評価に基づいて前記複数の画像の中から前記所定数の画像を抽出する抽出部とを有することを特徴とする画像抽出装置。
【請求項１６】
前記入力部は、前記複数の画像に対する評価を１つの画像毎に順次入力することを特徴とする請求項１５記載の画像抽出装置。
【請求項１７】
前記入力部は、前記評価の入力を時系列順に行うことを特徴とする請求項１６記載の画像抽出装置。
【請求項１８】
前記入力部は、上記評価に加えて、処理すべき画像補正を含む画像加工を入力することを特徴とする請求項１５乃至１７のいずれか１項に記載の画像抽出装置。
【請求項１９】
前記抽出された画像をフォトアルバムの各ページに配置することにより当該フォトアルバムを作成するアルバム作成部をさらに備えることを特徴とする請求項１５乃至１８のいずれか１項に記載の画像抽出装置。
【請求項２０】
前記アルバム作成部は、前記入力された評価に基づいて、前記抽出された画像を前記ページに配置することにより前記フォトアルバムの作成をことを特徴とする請求項１９記載の画像抽出装置。
【請求項２１】
前記複数の画像を複数のグループに分割する分割部をさらに備え、前記抽出部は、前記分割された各グループに属する画像の中から少なくとも１つの画像を抽出し、前記所定数に達するまで前記画像の抽出を実行することを特徴とする請求項１５乃至２０のいずれか１項に記載の画像抽出装置。
【請求項２２】
前記分割部は、前記複数の画像の各々に対して属すべきグループを指定することによって前記分割を行うことを特徴とする請求項２１記載の画像抽出装置。
【請求項２３】
前記分割部は、前記画像の作成時刻に基づいて前記分割を行うことを特徴とする請求項２１記載の画像抽出装置。
【請求項２４】
前記分割されたグループから抽出すべき画像の抽出数を入力する抽出数入力部をさらに備えることを特徴とする請求項２１乃至２３のいずれか１項に記載の画像抽出装置。
【請求項２５】
前記分割されたグループから抽出された画像をフォトアルバムの各ページに配置することにより当該フォトアルバムを作成するアルバム作成部をさらに備えることを特徴とする請求項２１乃至２４のいずれか１項に記載の画像抽出装置。
【請求項２６】
前記アルバム作成部は、前記入力された評価に基づいて、前記分割されたグループから抽出された画像を前記ページに配置することにより前記フォトアルバムの作成を行うステップから成ることを特徴とする請求項２５記載の画像抽出装置。
【請求項２７】
前記アルバム作成部は、前記分割されたグループに基づいて、前記抽出された画像を前記ページに配置することにより前記フォトアルバムの作成を行うことを特徴とする請求項２５又は２６記載の画像抽出装置。
【手続補正２】
【補正対象書類名】明細書
【補正対象項目名】発明の名称
【補正方法】変更
【補正の内容】
【発明の名称】画像抽出方法及び該方法をコンピュータに実行させるプログラム、並びに画像抽出装置
【手続補正３】
【補正対象書類名】明細書
【補正対象項目名】０００１
【補正方法】変更
【補正の内容】
【０００１】
本発明は、画像抽出方法及び該方法をコンピュータに実行させるプログラム、並びに画像抽出装置に関し、特に、複数の画像の中から所定数の画像を抽出する画像抽出方法及び該方法をコンピュータに実行させるプログラム、並びに画像抽出装置に関する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】変更
【補正の内容】
【００２６】
上記目的を達成するために、請求項１４記載のプログラムは、複数の画像の中から所定数の画像を抽出する画像抽出方法をコンピュータに実行させるプログラムであって、前記複数の画像に対する評価を入力する入力モジュールと、前記入力された評価に基づいて前記複数の画像の中から前記所定数の画像を抽出する抽出モジュールとを備えることを特徴とする。
上記目的を達成するために、請求項１５記載の画像抽出装置は、複数の画像の中から所定数の画像を抽出する画像抽出装置において、前記複数の画像に対する評価を入力する入力部と、前記入力された評価に基づいて前記複数の画像の中から前記所定数の画像を抽出する抽出部とを有することを特徴とする。
【手続補正１７】
【補正対象書類名】明細書
【補正対象項目名】００２７
【補正方法】変更
【補正の内容】
【００２７】
請求項１記載の画像抽出方法、請求項１４記載のプログラム、又は請求項１５記載の画像抽出装置によれば、複数の画像に対する評価を入力し、入力された評価に基づいて複数の画像の中から所定数の画像を抽出するので、大量の画像の中から所定数の画像を効率的に抽出して、ユーザの操作性を向上させることができる。
【手続補正１８】
【補正対象書類名】明細書
【補正対象項目名】００２８
【補正方法】変更
【補正の内容】
【００２８】
請求項２記載の画像抽出方法又は請求項１６記載の画像抽出装置によれば、複数の画像に対する評価を１つの画像毎に順次入力するので、画像を他の画像と見比べることがなくなり、抽出すべき画像を適切に抽出することができる。
【手続補正１９】
【補正対象書類名】明細書
【補正対象項目名】００２９
【補正方法】変更
【補正の内容】
【００２９】
請求項３記載の画像抽出方法又は請求項１７記載の画像抽出装置によれば、時系列順に評価を入力するので、ユーザは、一連する複数の画像の撮影された順番を思い出しながら評価を入力することができる。
【手続補正２０】
【補正対象書類名】明細書
【補正対象項目名】００３０
【補正方法】変更
【補正の内容】
【００３０】
請求項４記載の画像抽出方法又は請求項１８記載の画像抽出装置によれば、上記評価に加えて、処理すべき画像補正を含む画像加工を入力するので、評価の入力と共に、例えばトリミング、回転等の画像加工を抽出された画像に施すことができ、ユーザの操作性をより向上させることができる。
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】変更
【補正の内容】
【００３３】
請求項７記載の画像抽出方法又は請求項２１記載の画像抽出装置によれば、複数の画像を複数のグループに分割し、分割された各グループに属する画像の中から少なくとも１つの画像を抽出し、所定数に達するまで画像の抽出を実行するので、フォトアルバム作成に必要な枚数の画像を容易に抽出することができ、ユーザの操作性をより向上させることができる。
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】変更
【補正の内容】
【００３５】
請求項９記載の画像抽出方法又は請求項２３記載の画像抽出装置によれば、画像の作成時刻に基づいて分割を行うので、ユーザは、一連する複数の画像の撮影された日時を思い出しながら評価を入力することができる。
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】